(57)【要約】【課題】１つの宝石でありながら、光の屈折と反射の作用により、複数枚の葉が組み合わさったクローバー等の自然物をイメージさせることのできる宝石のカット構造を提供する。【解決手段】カットされた透光性を有する宝石１であって、宝石本体の周稜であるガードル１５を上面視正四角形状に形成し、ガードルから上のクラウン１０を、中央部に略平坦なテーブル１１を有し周辺部にテーブルからガードルに至る傾斜部１２を有する形状に形成し、ガードルから下のパビリオン２０を、ガードルの上面視正四角形状の中心に軸を合致させた正四角錐状に形成し、パビリオンの各側面２２に、ガードルの各辺１４の中央からパビリオンの頂点であるキューレット２１の近傍まで、溝断面を徐々に小さくしながら連続して延びるＶ溝３０を形成し、ガードルの各辺の中央の一部を、クラウンの傾斜部にかけてＶ溝で切欠いた。【選択図】図１
2008279082.tif 000002
【特許請求の範囲】
【請求項１】
カットされた透光性を有する宝石であって、
宝石本体の周稜であるガードルを上面視正多角形状に形成し、
前記ガードルから上のクラウンを、
中央部に略平坦なテーブルを有し周辺部に前記テーブルからガードルに至る傾斜部を有する形状に形成し、
前記ガードルから下のパビリオンを、
前記ガードルの上面視正多角形状の中心に軸を合致させた正角錐状に形成し、
前記正角錐状のパビリオンの各側面に、前記ガードルの各辺の中央からこのパビリオンの頂点であるキューレットの近傍まで、溝断面を徐々に小さくしながら連続して延びるＶ溝を形成し、
前記ガードルの各辺の中央の一部を、前記クラウンの傾斜部にかけて、前記Ｖ溝で切欠いたことを特徴とする宝石。
【請求項２】
請求項１に記載の宝石であって、
前記ガードルを上面視正四角形状に形成し、前記パビリオンを前記ガードルの形状に対応した正四角錐状に形成したことを特徴とする宝石。
【請求項３】
請求項１または２に記載の宝石であって、
前記パビリオンの各側面を、前記ガードル側から前記キューレット側に向けて凸に湾曲した凸曲面で形成し、隣接する前記凸曲面が交わってできる稜線を、角張った凸曲線状の稜線として形成し、前記Ｖ溝の両内側面と前記凸曲面の交わる稜線を角張った稜線として形成したことを特徴とする宝石。
【請求項４】
請求項１〜３のいずれか１項に記載の宝石であって、
前記クラウンの傾斜部を、前記ガードルからテーブルまでをなだらかに繋ぐ凸のＲ曲面で構成したことを特徴とする宝石。
【請求項５】
請求項１〜４のいずれか１項に記載の宝石であって、
前記Ｖ溝の溝底を、該Ｖ溝の両内側面をなだらかに繋ぐ凹のＲ曲面で形成したことを特徴とする宝石。
【請求項６】
請求項１〜５のいずれか１項に記載の宝石であって、
前記Ｖ溝の幅と深さを、前記パビリオンの各側面の幅の減少に比例させて、前記キューレットに向かうに従い減少させたことを特徴とする宝石。
【請求項７】
請求項１〜６のいずれか１項に記載の宝石であって、
前記Ｖ溝の両内側面のなす角度を８５°〜９５°の範囲に設定し、前記ガードルの各辺から前記クラウンの傾斜部にかけての部分を切欠くことで形成される前記各Ｖ溝の開口の幅を、前記ガードルの１辺の長さの１／６〜１／３の範囲に設定し、前記各Ｖ溝の溝底が前記クラウンの傾斜部を切欠く位置を前記テーブルの手前までとしたことを特徴とする宝石。
【請求項８】
請求項７に記載の宝石であって、
前記ガードルの１辺の長さを１としたとき、前記クラウンの高さを０．１〜０．２、前記パビリオンの高さを０．４〜０．５の範囲に設定したことを特徴とする宝石。
【請求項９】
請求項１〜８のいずれか１項に記載の宝石の台座への固定構造であって、
前記台座の中央に、前記ガードルの形状に対応した正多角形状の穴を形成し、該穴の周
囲に、前記正角錐状のパビリオンの各側面を支持する受面をそれぞれ内面に有した複数の壁部を形成し、これら隣接する壁部の境界に上下方向に延びる境界溝を形成し、前記各壁部の内面に、前記ガードルから前記クラウンの傾斜部にかけての前記Ｖ溝の開口に係合する係止爪を形成し、そして、前記受面にパビリオンを支持させながら前記宝石を台座の上に載置し、その状態で前記係止爪を内側に折り曲げることで、宝石を加締め固定したことを特徴とする宝石の台座への固定構造。
【請求項１０】
請求項１〜８のいずれか１項に記載の宝石が、眼鏡フレームの智またはテンプルに取付けられたことを特徴とする眼鏡フレーム。
【発明の詳細な説明】
【技術分野】
【０００１】
本発明は、ブルートパーズ、ガーネット、アメジスト等の種々の透光性を有する宝石（例えば透明または半透明の宝石）のカット形状、その宝石に適用できる台座への固定構造、及びその宝石を備えた眼鏡フレームに関するものである。
【背景技術】
【０００２】
宝石には、光輝性を高めるために様々なカットが施されている（例えば、特許文献１や特許文献２参照）。また、単一の宝石では表現できるイメージが限られることから、複数の宝石を種々の配置にレイアウトして、草花等の自然物をイメージした装飾品を作ることもよく行われている。
【０００３】
草花のイメージを宝石で表現する場合、従来では、個々の葉または花びらを模した複数個の宝石を組み合わせて配置している。
【０００４】
【特許文献１】特開２００１−２０４５２０号公報
【特許文献２】特開昭５７−１６８６０４号公報
【発明の開示】
【発明が解決しようとする課題】
【０００５】
複数の葉を備えた植物、例えば四葉のクローバー等のイメージを宝石で表現する場合、クローバー等を表現するのに、個々の葉をイメージした４個の宝石をクローバー状に固定する必要があるため、まず、個々の葉をイメージした４つの宝石をカットする作業と、カットした４つの宝石をクローバー状に配置する４つの台座を作成する作業とが必要であり、更に４つの宝石をそれぞれ台座に固定する作業が発生する。従って、コスト高になりやすいという問題がある。
【０００６】
本発明は、上記事情を考慮し、１つの宝石でありながら、光の作用により、複数枚の葉が組み合わさったクローバー等の自然物をイメージさせることのできる、光輝に趣向を持たせたカット形状を備えた宝石、その宝石の台座への固定構造、及びその宝石を備えた眼鏡フレームを提供することを目的とする。
【課題を解決するための手段】
【０００７】
請求項１の発明は、カットされた透光性を有する宝石であって、宝石本体の周稜であるガードルを上面視正多角形状に形成し、前記ガードルから上のクラウンを、中央部に略平坦なテーブルを有し周辺部に前記テーブルからガードルに至る傾斜部を有する形状に形成し、前記ガードルから下のパビリオンを、前記ガードルの上面視正多角形状の中心に軸を合致させた正角錐状に形成し、前記正角錐状のパビリオンの各側面に、前記ガードルの各辺の中央からこのパビリオンの頂点であるキューレットの近傍まで、溝断面を徐々に小さくしながら連続して延びるＶ溝を形成し、前記ガードルの各辺の中央の一部を、前記クラウンの傾斜部にかけて、前記Ｖ溝で切欠いたことを特徴とする。
【０００８】
請求項２の発明は、請求項１に記載の宝石であって、前記ガードルを上面視正四角形状に形成し、前記パビリオンを前記ガードルの形状に対応した正四角錐状に形成したことを特徴とする。
【０００９】
請求項３の発明は、請求項１または２に記載の宝石であって、前記パビリオンの各側面を、前記ガードル側から前記キューレット側に向けて凸に湾曲した凸曲面で形成し、隣接
する前記凸曲面が交わってできる稜線を、角張った凸曲線状の稜線として形成し、前記Ｖ溝の両内側面と前記凸曲面の交わる稜線を角張った稜線として形成したことを特徴とする。
【００１０】
請求項４の発明は、請求項１〜３のいずれか１項に記載の宝石であって、前記クラウンの傾斜部を、前記ガードルからテーブルまでをなだらかに繋ぐ凸のＲ曲面で構成したことを特徴とする。
【００１１】
請求項５の発明は、請求項１〜４のいずれか１項に記載の宝石であって、前記Ｖ溝の溝底を、該Ｖ溝の両内側面をなだらかに繋ぐ凹のＲ曲面で形成したことを特徴とする。
【００１２】
請求項６の発明は、請求項１〜５のいずれか１項に記載の宝石であって、前記Ｖ溝の幅と深さを、前記パビリオンの各側面の幅の減少に比例させて、前記キューレットに向かうに従い減少させたことを特徴とする。
【００１３】
請求項７の発明は、請求項１〜６のいずれか１項に記載の宝石であって、前記Ｖ溝の両内側面のなす角度を８５°〜９５°の範囲に設定し、前記ガードルの各辺から前記クラウンの傾斜部にかけての部分を切欠くことで形成される前記各Ｖ溝の開口の幅を、前記ガードルの１辺の長さの１／６〜１／３の範囲に設定し、前記各Ｖ溝の溝底が前記クラウンの傾斜部を切欠く位置を前記テーブルの手前までとしたことを特徴とする。
【００１４】
請求項８の発明は、請求項７に記載の宝石であって、前記ガードルの１辺の長さを１としたとき、前記クラウンの高さを０．１〜０．２、前記パビリオンの高さを０．４〜０．５の範囲に設定したことを特徴とする。
【００１５】
請求項９の発明は、請求項１〜８のいずれか１項に記載の宝石の台座への固定構造であって、前記台座の中央に、前記ガードルの形状に対応した正多角形状の穴を形成し、該穴の周囲に、前記正角錐状のパビリオンの各側面を支持する受面をそれぞれ内面に有した複数の壁部を形成し、これら隣接する壁部の境界に上下方向に延びる境界溝を形成し、前記各壁部の内面に、前記ガードルから前記クラウンの傾斜部にかけての前記Ｖ溝の開口に係合する係止爪を形成し、そして、前記受面にパビリオンを支持させながら前記宝石を台座の上に載置し、その状態で前記係止爪を内側に折り曲げることで、宝石を加締め固定したことを特徴とする宝石の台座への固定構造。
【００１６】
請求項１０の発明の眼鏡フレームは、請求項１〜８のいずれか１項に記載の宝石が、眼鏡フレームの智またはテンプルに取付けられたことを特徴とする。
【発明の効果】
【００１７】
請求項１の発明によれば、宝石を上面から見たときに、裏面の正角錐状のパビリオンの稜線やＶ溝が透けて見える。特に上面のクラウンは、略平坦なテーブルと、テーブルからガードルに到る傾斜部とで構成されているので、上面の屈折や反射の影響を受けにくい状態で裏面側のカットが透けて見える。この場合、光の屈折や反射の作用で、パビリオンの各側面やＶ溝の側面の明るさに変化が生じることになるので、Ｖ溝は複数の葉の輪郭のように見え、稜線は葉の葉脈のように見えるようになる。
【００１８】
特に上面視正多角形状をなしているガードルの角部が葉の先端をイメージさせる上に、ガードルの各辺の中央の一部がＶ溝で切欠かれているので、Ｖ溝で仕切られた領域が１枚１枚の葉のように、際立った独立感を持って見えるようになる。この際、Ｖ溝は、上面から見た場合、中央から放射状に延びるように見え、しかも中央寄りの根元側に見える部分の幅が狭く、先端（放射方向の先端）に行くほど幅が広く見える傾向になるため、葉と葉
の境界のイメージを強く見せることができる。
【００１９】
上述のように、正角錐状のパビリオンとその側面に形成したＶ溝の存在により、１つの宝石でありながら、複数の葉のイメージを表現することができるようになる。つまり、本発明のカット構造を採用することで、１つの宝石で、クローバーなどの複雑な形状表現を行うことが可能となる。また、１つの宝石であるから取付台座も１つでよくなるため、取り付け作業も簡単にすむようになる。従って、コストを抑制しつつ、多様なデザインを演出することができる。
【００２０】
なお、Ｖ溝は、キューレットの近傍まで形成しているだけであるから、宝石の破損、特にキューレット付近の破損の原因を少なくすることができる。
【００２１】
請求項２の発明によれば、ガードルを上面視正四角形状に形成し、パビリオンを正四角錐状に形成したので、各葉をより際立たせた四つの葉をもった植物（例えば四つ葉のクローバー）のイメージに見せることができる。
【００２２】
請求項３の発明によれば、前記パビリオンの各側面を、前記ガードル側から前記キューレット側に向けて凸に湾曲した凸曲面で形成し、隣接する前記凸曲面が交わってできる稜線を、角張った凸曲線状の稜線として形成し、前記Ｖ溝の両内側面と前記凸曲面の交わる稜線を角張った稜線として形成したので、上面から見た明るさの変化が自然な状態になり、かつ各葉を際立たせることができるので、実際の葉のイメージにより近づけることができる。
【００２３】
請求項４の発明によれば、クラウンの傾斜部を、ガードルからテーブルまでをなだらかに繋ぐ凸のＲ曲面で構成したので、そのＲ曲面に反射する光を明るい部分として見せることができ、宝石の光輝性を増すことができる。
【００２４】
請求項５の発明によれば、Ｖ溝の溝底を凹のＲ曲面で形成したので、宝石の破損の原因を少なくすることができる。
【００２５】
請求項６の発明によれば、前記Ｖ溝の幅と深さを、前記パビリオンの各側面の幅の減少に比例させて、前記キューレットに向かうに従い減少させたので、葉と葉の境界がより自然な形でイメージさせることができる。
【００２６】
請求項７の発明によれば、Ｖ溝の角度を８５°〜９５°の範囲に設定し、ガードル上のＶ溝の開口の幅をガードルの１辺の長さの１／６〜１／３の範囲に設定し、各Ｖ溝の溝底がクラウンの傾斜部を切欠く位置をテーブルの手前までとしたので、より鮮明に葉状に見せることができる。
【００２７】
請求項８の発明によれば、ガードルの１辺の長さを１としたとき、クラウンの高さを０．１〜０．２、パビリオンの高さを０．４〜０．５範囲に設定したので、上記の効果を際立たせることができる。
【００２８】
請求項９の発明によれば、台座の中央に、宝石のガードルの形状に対応した正多角形状の穴を形成し、その穴の周囲に、宝石の下面の正角錐状のパビリオンの各側面を支持する受面をそれぞれ内面に有した複数の壁部を形成し、これら隣接する壁部の境界に上下方向に延びる境界溝を形成し、各壁部の内面に、ガードルからクラウンの傾斜部にかけてのＶ溝の開口に係合する係止爪を形成し、そして、前記受面にパビリオンを支持させながら宝石を台座の上に載置して、その状態で係止爪を内側に折り曲げることで、宝石を加締め固定しているので、台座の境界溝の位置に葉の葉脈に見えるパビリオンの稜線が位置するこ
とになり、宝石で見せる葉のイメージを、台座のデザインにより強調することができる。また、台座の係止爪を宝石のV溝の開口に係合した状態で加締め固定しているので、宝石
を台座にしっかりと固定できるとともに、係止爪が葉の境界のイメージを強調できる。
【００２９】
請求項１０の発明によれば、前記宝石を眼鏡フレームの智またはテンプルに設けたので、１つの宝石で複数の葉を表現した装飾を有する眼鏡フレームが得られる。
【発明を実施するための最良の形態】
【００３０】
以下、本発明の実施形態を図面を参照して説明する。
図１は実施形態の宝石の構成図で、（ａ）は上面図、（ｂ）は（ａ）のＩｂ−Ｉｂ矢視側面図、図２は図１（ａ）のＩＩ−ＩＩ矢視側面図、図３はＶ溝をカットするカッタの断面形状（つまりＶ溝の断面形状に相当）を示す図、図４は宝石の底面の正面から見た図、図５は宝石の底面の斜視図である。
【００３１】
この宝石１は、すでに本発明のカット形状にカットされたブルートパーズ、ガーネット、アメジスト等の透明な単一の宝石材よりなり、宝石本体の周稜であるガードル１５を、上面視正四角形状に形成してある。つまり、図１（ａ）に示すように、ガードル１５の横辺１４の長さＬ１と縦辺１４の長さＬ２が等しい。各辺１４は直線状に延びており、隣接する辺１４の交点は、角度９０°の小さいＲの角部１６となっている。
【００３２】
なお、ガードル１５の各辺１４は、外側に僅かに凸の曲線にしても良い。また、本実施の形態は、ガードル１５の稜線部は角張って形成しているが、幅を有した面にしてもよい。
【００３３】
また、ガードル１５から上のクラウン１０は、中央部に略平坦なテーブル１１を有し、周辺部にテーブル１１からガードル１５に至る傾斜部１２を有する形状に形成してある。特にクラウン１１の傾斜部１２は、ガードル１５からテーブル１１までを、なだらかに繋ぐ凸のＲ曲面で構成してある。なお、テーブル１１は、外側に凸の湾曲した曲面としても良い。この場合は、傾斜部の曲率より小さくすることが好ましい。
【００３４】
クラウン１０をこのように形成することにより、光の屈折や反射の影響が少なくでき好ましい。テーブル１１や傾斜部１２を外側に凸の湾曲した曲面とした場合は、クラウン１０から放出された光を中央に集める効果が得られるため、光輝性を増すことができる。このような形状にするカット法としては、カボションカット（ドーム状の曲面形状のカット）やバフトップカット（バフ研磨により角張った部分が無いようになだらかな曲面に研磨されたカット）などを用いることができる。
【００３５】
また、ガードル１５から下のパビリオン２０は、ガードル１５の形状に対応した形状、即ち、テーブル１１の中心に軸を合致させた正四角錐状に形成してあり、その正四角錐状のパビリオン２０の頂点にキューレット２１が形成されている。このキューレット２１は、パビリオン２０の先端になる部分を研磨した小さなファセット（平坦に研磨された平面）にしても良いし、先端を丸めても良い。
【００３６】
また、正四角錐状のパビリオン２０の各側面２２は、ガードル１５側からキューレット２１側に向けて凸に湾曲した凸円弧面（凸曲面）で形成され、隣接する凸の円弧面（側面）２２が交わってできる４本の稜線２３が、角張った凸曲線状の稜線として形成されている。
【００３７】
また、正四角錐状のパビリオン２０の凸円弧面よりなる各側面２２には、ガードル１５の各辺１４の中央からキューレット２１の近傍まで、溝断面を徐々に小さくしながら連続
して延びるＶ溝３０が形成されており、Ｖ溝３０の両内側面と各側面２２の交わる稜線３２が角張った稜線として形成されている。Ｖ溝３０は、その幅と深さを、パビリオン２０の側面２２の幅の減少に比例させて、キューレット２１に向かうに従い減少させるとより好ましい。
【００３８】
また、ガードル１５の各辺１４の中央の一部は、クラウン１０の傾斜部１２にかけての範囲にわたり、Ｖ溝３０で切欠かれている。このＶ溝３０の内面と傾斜部１２の交わる稜線３３は、上方から見てＶ字形に見える。Ｖ溝３０の溝底３１は、Ｖ溝３０の両内側面をなだらかに繋ぐ凹のＲ曲面で形成されている。
【００３９】
具体的な寸法関係について述べる。
Ｖ溝３０の両内側面のなす角度θ（図３のカッタ７０の角度に等しい）は、８５°〜９５°の範囲に設定されており、本実施形態では９０°に設定されている。また、ガードル１５の各辺１４からクラウン１０の傾斜部１２にかけての部分を切欠くことで形成される各Ｖ溝３０の開口（切り口）の幅Ｌ５は、ガードル１５の１辺の長さＬ１（＝Ｌ２）の１／６〜１／３の範囲に設定されている。より好ましくは１／５〜１／４である。また、各Ｖ溝３０の溝底３１がクラウン１０の傾斜部１２を切欠く位置は、テーブル１１の手前までと規制されている。また、パビリオン２０の高さは、ガードル１５の１辺の長さＬ１＝Ｌ２の１／２以下に設定されている。
【００４０】
より具体的な数値について挙げると、ガードル１５の１辺の長さＬ１を「１」としたとき、クラウン１０の高さＬ３は「０．１〜０．２」、パビリオン２０の高さＬ４は「０．４〜０．５」、ガードル１の各辺１４からクラウン１０の傾斜部１２にかけての部分を切欠く各Ｖ溝３０の開口の深さＬ６は「０．０５〜０．１」の範囲に設定されている。
【００４１】
因みに一例としてあげる宝石の場合、ガードル１５の１辺の長さＬ１が６ｍｍであり、Ｌ３＝０．８１ｍｍ、Ｌ４＝２．６５ｍｍ、Ｌ５＝１．２６ｍｍ、Ｌ６＝０．４５ｍｍに設定されている。また、テーブル１１の曲率半径Ｒ１＝２０．２４ｍｍ、傾斜部１２の曲率半径Ｒ２＝１．２ｍｍ、パビリオン２０の側面２２の曲率半径Ｒ３＝６．４ｍｍ、Ｖ溝３０の溝底３１の曲率半径Ｒ４＝０．１ｍｍに設定されている。
【００４２】
図６は、正面からの見え方を説明するための領域区分を示す図である。
宝石の下面（パビリオン２０）と上面（クラウン１０）の形状の影響による見え方の傾向の近い領域を図６のように区分する。
【００４３】
この図において、この宝石が表現する４枚の葉の内の１枚の葉は、Ａｔｌ、Ａｓｌ、Ｂｔｒ、Ｂｓｒ、Ａｇｔｌ、Ａｇｓｌ、Ａｇｂｔ、Ａｇｂｓ、Ｂｇｔｒ、Ｂｇｓｒ、Ｂｇｂｔ、Ｂｇｂｓで表現される。同様にその隣りの葉は、Ｂｔｌ、Ｂｓｌ、Ｃｔｒ、Ｃｓｒ、Ｂｇｔｌ、Ｂｇｓｌ、Ｂｇｂｔ、Ｂｇｂｓ、Ｃｇｔｒ、Ｃｇｓｒ、Ｃｇｂｔ、Ｃｇｂｓで表現される。同様にその隣りの葉は、Ｃｔｌ、Ｃｓｌ、Ｄｔｒ、Ｄｓｒ、Ｃｇｔｌ、Ｃｇｓｌ、Ｃｇｂｔ、Ｃｇｂｓ、Ｄｇｔｒ、Ｄｇｓｒ、Ｄｇｂｔ、Ｄｇｂｓで表現される。同様にその隣りの葉は、Ｄｔｌ、Ｄｓｌ、Ａｔｒ、Ａｓｒ、Ｄｇｔｌ、Ｄｇｓｌ、Ｄｇｂｔ、Ｄｇｂｓ、Ａｇｔｒ、Ａｇｓｒ、Ａｇｂｔ、Ａｇｂｓで表現される。
【００４４】
ここでは、次のように符号を付けている。
４つの側面に対応した領域      ：Ａ、      Ｂ、      Ｃ、      Ｄ
反射領域      ：Ａｒ、    Ｂｒ、    Ｃｒ、    Ｄｒ
テーブル部領域（右）：Ａｔｒ、  Ｂｔｒ、  Ｃｔｒ、  Ｄｔｒ
テーブル部領域（左）：Ａｔｌ、  Ｂｔｌ、  Ｃｔｌ、  Ｄｔｌ
傾斜部領域（右）：Ａｓｒ、  Ｂｓｒ、  Ｃｔｒ、  Ｄｓｒ
傾斜部領域（左）：Ａｓｌ、  Ｂｓｌ、  Ｃｓｌ、  Ｄｓｌ
【００４５】
《溝：テーブル部側》
テーブル部側  溝斜面領域（右）：Ａｇｔｒ、Ｂｇｔｒ、Ｃｇｔｒ、Ｄｇｔｒ
テーブル部側  溝斜面領域（左）：Ａｇｔｌ、Ｂｇｔｌ、Ｃｇｔｌ、Ｄｇｔｌ
テーブル部側  溝底  領域      ：Ａｇｂｔ、Ｂｇｂｔ、Ｃｇｂｔ、Ｄｇｂｔ
【００４６】
《溝：傾斜部側》
傾斜部側  溝斜面領域（右）：Ａｇｓｒ、Ｂｇｔｒ、Ｃｇｓｒ、Ｄｇｓｒ
傾斜部側  溝斜面領域（左）：Ａｇｓｌ、Ｂｇｓｌ、Ｃｇｓｌ、Ｄｇｓｌ
傾斜部側  溝底  領域      ：Ａｇｂｓ、Ｂｇｂｓ、Ｃｇｂｓ、Ｄｇｂｓ
【００４７】
ここで、１枚の葉について注目すると、各領域（Ａｔｌ、Ａｓｌ、Ｂｔｒ、Ｂｓｒ、Ａｇｔｌ、Ａｇｓｌ、Ａｇｂｔ、Ａｇｂｓ、Ｂｇｔｒ、Ｂｇｓｒ、Ｂｇｂｔ、Ｂｇｂｓ）は、次のような特徴を有している。
【００４８】
（１）上面が、比較的平らなテーブル１１とその周囲の傾斜が急な傾斜部１２とからなっている影響により、傾斜部１２側の領域（Ａｓｌ、Ｂｓｒ、Ａｇｓｌ、Ａｇｂｓ、Ｂｇｓｒ、Ｂｇｂｓ）と、テーブル１１側の領域（Ａｔｌ、Ｂｔｒ、Ａｇｔｌ、Ａｇｂｔ、Ｂｇｔｒ、Ｂｇｂｔ）とでは明るさに違いが生じやすい。
【００４９】
（２）下面が、稜線２３を境に向きが大きく異なっている影響により、稜線右側（Ｂｔｒ、Ｂｓｒ）と稜線左側（Ａｔｌ、Ａsｌ）とでは、明るさに違いが生じやすい。
【００５０】
（３）下面にＶ溝３０が形成されている影響により、溝領域（Ａｇｔｌ、Ａｇｓｌ、Ａｇｂｔ、Ａｇｂｓ、Ｂｇｔｒ、Ｂｇｓｒ、Ｂｇｂｔ、Ｂｇｂｓ）とその溝領域に隣接する領域（Ａｔｌ、Ａsｌ、Ｂｔｒ、Ｂｓｒ）とでは、明るさに違いが生じやすい。
【００５１】
（４）Ｖ溝３０は断面Ｖ字状に形成され、かつ、溝底３１が丸まっている影響により、１つのＶ溝３０における右側溝斜面領域（Ａｇｔｒ、Ａｇｓｒ）と左側溝斜面領域（Ａｇｔｌ、Ａｇｓｌ）と溝底領域（Ａｇｂｔ、Ａｇｂｓ）とでは明るさに違いが生じやすい。
【００５２】
（５）下面に稜線２３がある影響により、線状に明るさの違う部分が生じやすい。
【００５３】
（６）上面のテーブル１１及び傾斜部１２の形状の影響により、傾斜部１２に沿った方向に反射による明るく見える部分が生じやすい。特に、傾斜部１２は、テーブル１１に対して傾斜し湾曲しているので、テーブル１１と傾斜部１２の境界からその少し外側の領域（Ａｒ、Ｂｒ、Ｃｒ．Ｄｒ）で明るい部分が生じやすい。
【００５４】
（７）上面及び下面が湾曲している影響により、各領域内及び隣接する領域間で明るさが連続的に変化して見えやすい。また各領域内で明るさのむらも生じやすい。
【００５５】
以上の見え方の特徴と正面視輪郭形状の相乗効果により、１つの宝石で複数の葉を表現できる。即ち、
・上記（３）、（４）、「Ｖ溝３０の正面側開口（切口）」とで、葉の輪郭が表現される。
・上記（２）、（５）とで、葉の中心の葉脈が表現される。
・上記（１）、（６）、（７）とで、葉の湾曲やツヤが表現される。
【００５６】
葉の輪郭が表現されるには、溝部が明るく見えとより好ましい。宝石の正面から見て溝
部が明るく見えるには、斜め上方から宝石に入射した光が直接もしくは内部反射して溝部斜面に当たり、正面方向に出射される必要がある。
【００５７】
しかしながら、本発明のようにＶ溝３０を形成した場合、入射して直接溝部斜面に当たった光は、正面方向にあまり反射しないため、パビリオン２０の角錐状面に一度内部反射した光が溝部斜面に当たり正面方向に反射する光を多くすることが好ましい。
【００５８】
例えば、角錐面Ｂ側の辺と垂直方向で斜め上４５度から光を照射した場合（照射方向Ｉ）は、溝領域Ｄｇ（Ｄｇｔｌ、Ｄｇｓｌ、Ｄｇｂｔ、Ｄｇｂｓ、Ｄｇｔｒ、Ｄｇｓｒ）が最も明るく見え、続いて溝領域Ａｇ（Ａｇｔｌ、Ａｇｓｌ、Ａｇｂｔ、Ａｇｂｓ、Ａｇｔｒ、Ａｇｓｒ）と溝領域Ｃｇ（Ｃｇｔｌ、Ｃｇｓｌ、Ｃｇｂｔ、Ｃｇｂｓ、Ｃｇｔｒ、Ｃｇｓｒ）が明るく見える。溝領域Ｄｇが明るく見えるのには、角錐面Ａまたは角錐面Ｃで内部反射して溝Ｄに当たった光が大きく影響している。溝領域ＡｇとＣｇが明るく見えるのには、角錐面ＢまたはＤで内部反射して溝Ａまたは溝Ｄに当たった光が大きく影響している。
【００５９】
また、角錐面ＡとＢの稜線を含め平面内で斜め上４５度から光を照射した場合（照射方向II）は、溝領域ＣｇとＤｇが最も明るく見え、続いて溝領域Ａｇと溝領域Ｂｇ（Ｂｇｔｌ、Ｂｇｓｌ、Ｂｇｂｔ、Ｂｇｂｓ、Ｂｇｔｒ、Ｂｇｓｒ）が明るく見える。溝領域Ｃｇが明るく見えるのには、角錐面Ｂまたは角錐面Ｄで内部反射して溝Ｃに当たった光が大きく影響している。同様に溝領域Ｄｇが明るく見えるのには、角錐面Ａまたは角錐面Ｃで内部反射して溝Ｄに当たった光が大きく影響している。溝領域Ａｇが明るく見えるのには、角錐面Ｂで内部反射して溝Ａに当たった光が大きく影響している。同様に溝領域Ｂｇが明るく見えるのには、角錐面Ａで内部反射して溝Ｂに当たった光が大きく影響している。
【００６０】
この例からわかるように、溝領域の明るさには、角錐面での内部反射が大きく影響している。したがって、角錐面の面積を適度に残すように溝部の幅を決めることが好ましい。水平方向における好ましい溝の幅は、角錐面の幅に対する溝幅の比率が、１／６〜１／３の範囲に設定すると良い。より好ましくは１／５〜１／４である。なお角錐面の幅は下側に行くほど狭くなるので、溝幅も前記範囲内の幅で狭くなるようにすることが好ましい。例えば同じ角度のカッタを用いる場合は下に行くほど深さを浅くするとよい。
【００６１】
溝の角度は、角度が狭いと前記溝幅の範囲内にするためにより深く切り込まなければならないため、宝石の強度が弱くなり、また正面から見て明るく見える面積も小さくなる。また、角度が広いと隣接する面との明るさの差が出にくい。溝の角度は８５°〜９５°の範囲に設定することが好ましく、より好ましくは９０°である。
【００６２】
溝の形成方向は、角錐面の湾曲に合わせてカーブさせて形成することが好ましい。角錐面、溝部がカーブしていることにより、様々な光の入射方向においても、溝部に明るい部分が生じやすくなる。
【００６３】
以上の説明のように、宝石１を上面から見たときに、裏面の正角錐状のパビリオン２０の稜線２３やＶ溝３０が透けて見える。特に上面のクラウン１０には、屈折に低影響のカット（バフトップカットやカボション）が施されているので、裏面側のカットが透けてよく見える。この場合、光の屈折や反射の作用で、パビリオン２０の各側面２２やＶ溝３０の側面の明るさに変化が生じることになるので、Ｖ溝３０は複数の葉の輪郭のように見え、稜線は葉の葉脈のように見えるようになる。
【００６４】
特に上面視正多角形状をなしているガードル１５の角部１６が葉の先端をイメージさせる上に、ガードル１５の各辺１４の中央の一部がＶ溝３０で切欠かれているので、Ｖ溝３
０で仕切られた領域が１枚１枚の葉のように、際立った独立感を持って見えるようになる。この際、Ｖ溝３０は、上面から見た場合、中央から放射状に延びるように見え、しかも中央寄りの根元側に見える部分の幅が狭く、先端（放射方向の先端）に行くほど幅が広く見える傾向にあるため、葉と葉の境界のイメージを強く見せることができる。
【００６５】
このように、正角錐状のパビリオン２０とその側面２２に形成したＶ溝３０の存在により、１つの宝石でありながら、複数の葉のイメージを表現することができるようになる。つまり、本発明のカット構造を採用することで、１つの宝石で、クローバーなどの複雑な形状表現を行うことが可能となる。また、１つの宝石であるから取付台座も１つでよくなるため、取り付け作業も簡単にすむようになる。従って、コストを抑制しつつ、多様なデザインを演出することができる。
【００６６】
図１４は正面から見た写真であり、四つ葉のクローバー状に見えることが分かる。
【００６７】
また、上記実施形態では、Ｖ溝３０がキューレット２１の近傍で止まっているので、キューレット２１付近での破損の原因を少なくすることができる。
【００６８】
また、パビリオン２０の各側面２２を、ガードル１５側からキューレット２１側に向けて凸に湾曲した凸円弧面で形成し、隣接する凸円弧面が交わってできる稜線を、角張った凸曲線状の稜線として形成し、Ｖ溝の両内側面と凸円弧面の交わる稜線を角張った稜線として形成したので、上面から見た明るさの変化が自然な状態になり、かつ各葉を際立たせることができるので、実際の葉のイメージにより近づけることができる。
【００６９】
また、Ｖ溝３０の幅と深さを、パビリオン２０の各側面２２の幅の減少に比例させて、キューレット２１に向かうに従い減少させたので、葉と葉の境界がより自然な形でイメージさせることができる。
【００７０】
図７は上述の宝石１を載置する台座１００の構成を示し、図８は宝石１を台座１００に固定した状態を示している。この台座１００は、中央に、宝石１のガードル１５の形状に対応した正多角形状の穴１０５を形成し、穴１０５の周囲に、正角錐状のパビリオン２０の各側面２２を支持する受面１０１ａをそれぞれ内面に有した複数の壁部１０１を形成し、これら隣接する壁部１０１の境界に上下方向に延びる境界溝１０２を形成し、各壁部１０１の内面に、ガードル１５からクラウン１０の傾斜部１２にかけてのＶ溝３０の開口に係合する係止爪１０３を形成した構造をなしている。１０４は、台座１００を眼鏡フレーム等に固定するための係合凸部である。
【００７１】
この台座１００に宝石１を固定する場合は、受面１０１ａにパビリオン２０を支持させながら宝石１を台座１００の上に載置し、その状態で係止爪１０３を内側に折り曲げる。そうすることで、宝石１を台座１００に加締め固定することができる。このように加締め固定すると、係止爪１０３とＶ溝３０とが係合しているため、しっかりと固定できる。
【００７２】
図９は宝石１と台座１００を眼鏡フレーム２００に固定した例を示す図で、（ａ）は平面図、（ｂ）は正面図、図１０は眼鏡フレーム２００の左側面図、図１１は眼鏡フレームの要部拡大図で、（ａ）は平面図、（ｂ）は側面図である。
【００７３】
眼鏡フレーム２００に宝石１を取り付ける場合、フロントの両側にある智２０２の外側面に台座１００を取り付けるのがよい。そうすれば、テンプル２０３を智２０２に接続するヒンジ２０４の前側に宝石１が位置し、見栄えが良くなる。
【００７４】
また、眼鏡が装用された状態で、装用者の頭部に遮られることなく前記台座の穴１０５
から光が入射しやすいため、宝石１の輝きを増すことができる。なお、テンプル２０３の前方に宝石１と台座１００を配置しても同様の効果を期待できる。
【００７５】
なお、上記実施形態では、クラウン１０のテーブル１１を、僅かな曲率の凸曲面状に形成すると共に傾斜部１２を凸のＲ曲面で構成した場合を示したが、図１２に示す宝石１Ｂのように、テーブル１１を平坦面で構成してもよい。
【００７６】
また、上記実施形態では、宝石の輪郭形状が正四角形の場合を示したが、図１３に示すように、正三角形状であっても、類似の効果を奏することを期待できる。また、図示していないが、同様に正五角形状やそれ以上の正多角形状にしてもよい。
【００７７】
また、上記実施形態では、透光性を有する宝石として、透明な宝石の場合を示したが、半透明の宝石においても、類似の効果を奏することが期待できる。
【図面の簡単な説明】
【００７８】
【図１】本発明の実施形態の宝石の構成図で、（ａ）は上面図、（ｂ）は（ａ）のＩｂ−Ｉｂ矢視側面図である。
【図２】図１（ａ）のＩＩ−ＩＩ矢視側面図である。
【図３】Ｖ溝をカットするカッタの断面形状を示す図である。
【図４】前記宝石の底面の正面から見た図である。
【図５】前記宝石の底面の斜視図である。
【図６】前記宝石の正面から見え方を説明するための領域区分を示す平面図である。
【図７】前記宝石を取り付ける台座の構成図で、（ａ）は平面図、（ｂ）は側面図である。
【図８】前記宝石を図７の台座に取り付けた状態を示す図で、（ａ）は平面図、（ｂ）は側面図である。
【図９】前記宝石と台座を眼鏡フレームの智の外側面に取り付けた場合の例を示す図で、（ａ）は眼鏡フレームの平面図、（ｂ）は正面図である。
【図１０】図９の眼鏡フレームの左側面図である。
【図１１】前記眼鏡フレームの要部拡大図で、（ａ）は平面図、（ｂ）は側面図である。
【図１２】本発明の他の実施形態の宝石の構成図で、（ａ）は上面図、（ｂ）は（ａ）のＩｂ−Ｉｂ矢視側面図である。
【図１３】本発明の更に他の実施形態の宝石の上面図である。
【図１４】図１に示した宝石の上面から見た写真である。
【符号の説明】
【００７９】
１  宝石
１０  クラウン
１１  テーブル
１２  傾斜部
１４  辺
１５  ガードル
１６  角部
２１  キューレット
２２  側面（凸円弧面、凸曲面）
２３  稜線
３０  Ｖ溝
３１  溝底
３２  稜線
１００  台座
１０１  壁部
１０１ａ  受面
１０２  境界溝
１０３  係止爪
【図１】
2008279082.tif 000003
【図２】
2008279082.tif 000004
【図３】
2008279082.tif 000005
【図４】
2008279082.tif 000006
【図５】
2008279082.tif 000007
【図６】
2008279082.tif 000008
【図７】
2008279082.tif 000009
【図８】
2008279082.tif 000010
【図９】
2008279082.tif 000011
【図１０】
2008279082.tif 000012
【図１１】
2008279082.tif 000013
【図１２】
2008279082.tif 000014
【図１３】
2008279082.tif 000015
【図１４】
2008279082.tif 000016